(57)【特許請求の範囲】
【請求項１】
車体上に消防ポンプが搭載される一方、水タンク及び小型消防ポンプを備えた消火装置が上記車体上と地上との間で積降ろし自在に構成され、
上記水タンク及び小型消防ポンプは脱着フレーム上に載置され、該脱着フレームが車体に設けられた荷役装置により車体上と地上との間で積降ろし自在に設けられたことを特徴とする消火装置脱着式消防自動車。
【請求項２】
前記脱着フレームには、車体に搭載された状態で前記水タンクが当該車体の前側に配置されるとともに、前記小型消防ポンプが水タンクの後側に隣接して配置され、当該小型消防ポンプが脱着フレーム上において前後にスライド自在に、もしくは脱着フレームに着脱自在に設けられたことを特徴とする請求項１記載の消火装置脱着式消防自動車。
【発明の詳細な説明】
【０００１】
【発明の属する技術分野】
本発明は、火災消火方法、並びにこの火災消火方法を実施する消火装置脱着式消防自動車に関するものである。
【０００２】
【従来の技術】
従来、消防自動車としては、例えば、消防ポンプを搭載したポンプ車または小型消防ポンプ積載車があり、消火活動に当たっては、火災現場において、ポンプ車または小型消防ポンプ積載車を水源近くに配置してポンプにより水源から吸い上げた水を放水ホースを通じて火災現場に供給して放水することにより消火活動を行っている。
【０００３】
また、上記消防ポンプの他に水タンクも搭載した車輌もあり、この車輌では、火災現場において消防ポンプにより水タンク内の水を放水することにより消火活動を行っている。
【０００４】
【発明が解決しようとする課題】
しかしながら、上記従来のような各消防自動車では、以下のような問題があった。
【０００５】
まず、ポンプ車または小型消防ポンプ積載車にあっては、水源から火災現場までは通常相当な距離があり、この間で放水ホースを配設する作業に時間をついやすため、実際に消火活動を開始するまでに時間がかかり、所謂初期消火が行えないという問題があった。
【０００６】
また、消防ポンプの他に水タンクも搭載した車輌では、上記初期消火を行うことができるものの、水タンク内の水が無くなった時点で消火活動を終え、続いてポンプ車を用いた本格的消火活動に移行せざるを得なかった。
【０００７】
つまり、上述した２台の消防自動車が同時に火災現場に到着しないと、迅速で十分な消火活動が行えない。
【０００８】
本発明は、上記問題点に鑑みてなされたもので、その目的とするところは、１台の消防自動車で、初期消火が可能であるとともに、ポンプ車に相当する本格的消火活動を行うことも可能であり、これにより迅速で十分な消火活動を行うことができる消火装置脱着式消防自動車を提供することにある。
【０００９】
【課題を解決するための手段】
請求項１に係る発明の消火装置脱着式消防自動車は、車体上に消防ポンプが搭載される一方、水タンク及び小型消防ポンプを備えた消火装置が上記車体上と地上との間で積降ろし自在に構成され、上記水タンク及び小型消防ポンプは脱着フレーム上に載置され、該脱着フレームが車体に設けられた荷役装置により車体上と地上との間で積降ろし自在に設けられたものである。
【００１０】
請求項２に係る発明の消火装置脱着式消防自動車は、前記脱着フレームには、車体に搭載された状態で前記水タンクが当該車体の前側に配置されるとともに、前記小型消防ポンプが水タンクの後側に隣接して配置され、当該小型消防ポンプが脱着フレーム上において前後にスライド自在に、もしくは脱着フレームに着脱自在に設けられたものである。
【００１３】
【発明の実施の形態】
以下、本発明の実施の形態を図面を参照して説明する。
【００１４】
図１は、消火装置脱着式消防自動車の全体構成を示している。
【００１５】
この消火装置脱着式消防自動車１は、車体１１上に消防ポンプ２が搭載されるとともに、消火装置３が車体１１上と地上との間で積降ろし自在に設けられたものである。
【００１６】
消防ポンプ２は、運転席１２に面して車体１１の前部に搭載されており、従来からポンプ車に搭載されている周知のものである。即ち、水源より水を吸い上げる吸上ホース２１が接続される吸水口２２を有するとともに、火災現場に水を導くための図示しない放水ホースが接続される放水口２３を有している。そして、この消防ポンプ２により吸上ホース２１を通じて吸上げた水を加圧状態で放水ホースに供給して火災現場に放水することで、消火活動を行うようにしている。
【００１７】
消火装置３は、図２及び図３に示すように、水タンク４と小型消防ポンプ５とを備えてなり、これら水タンク４と小型消防ポンプ５とが脱着フレーム６上に配設されている。
【００１８】
詳しくは、まず、脱着フレーム６は、水タンク４と小型消防ポンプ５とを載置する載置部材６１と、この載置部材６１の一端に立設された垂直部材６２とで側面視Ｌ字状に構成されている。
【００１９】
前記垂直部材６２が設けられた載置部材６１の一端部底面の左右には支持部材６３が設けられ、また、載置部材６１の他端部底面の左右には支持ローラ６４が設けられている。よって、脱着フレーム６を地上に降ろした場合には、これら支持部材６３と支持ローラ６４とで当該脱着フレーム６を支持する。
【００２０】
また、前記支持ローラ６４は、脱着フレーム６を後述する荷役装置１３により車体１１上と地上との間で積降ろす際に、地上を転動することで、この脱着フレーム６の積降ろしを円滑に行うようになされている。
【００２１】
前記垂直部材６２は、その上端部に前記荷役装置１３のフック１４ｃと係脱自在な係止部材６５が設けられている。
【００２２】
この係止部材６５は、棒状のもので、前記垂直部材６２の前面に突設された左右一対のブラケット６６に支持されている。
【００２３】
水タンク４は、水を貯留するためのもので、載置部材６１の垂直部材６２側となる前部に設置されている。
【００２４】
この水タンクの底部には、小型消防ポンプ５に水タンク４内の水を供給するための供給管４１が設けられるとともに、水タンク４内の水を外部に排出するための排出管４２が設けられている。また、水タンク４の上部には、マンホール４３が設けられるとともに、オーバーフロー管４４が設けられている。さらに、この水タンク４には、水タンク４内の水量を計測するための水量計４５が設けられている他、小型消防ポンプ５を通じて水タンク４内に水を補給する補給管４６や、消防ポンプ２を通じて水タンク４内に水を補給する補給管４７も設けられている。
【００２５】
なお、水タンク４の上面は、作業上の安全を図るために、しま板で構成されている。
【００２６】
小型消防ポンプ５は、水タンク４内の水を図示しない放水ホースを用いて放水するためのもので、載置部材６１の後部に水タンク４と隣接して設けられている。
【００２７】
この小型消防ポンプ５は、図４に示すように吸込口５１と、放水口５２とを有する従来周知なポンプであり、例えば、持ち運びが可能な所謂可搬式のものが用いられている。
【００２８】
そして、上記吸引口５１には、図２に示すように前記水タンクの供給管４１に一端が連結された供給ホース５３の他端が連結され、上記放水口５２には、図示しない放水ホースの一端が連結されるようになされている。従って、小型消防ポンプ５に内蔵されたエンジン駆動により水タンク４内の水を供給ホース５３を通じて当該小型消防ポンプ５内に導入し、放水ホースを通じて加圧した水を放水するようにしている。これらホース５３及び放水ホースは上記した各連結部にそれぞれ着脱自在に連結されている。
【００２９】
ところで、この小型消防ポンプ５は、載置部材６１上にスライド機構によりスライド自在に設けられている。このスライド機構の一例としては、載置部材６１上に基台５４が固設され、この基台５４上にスライド台５５が図示しないガイドにより前後に（図２の状態からは後方へ）スライド自在に設けられている。このように小型消防ポンプ５をスライド自在に設けたのは、小型消防ポンプ５と水タンク４とは近接して配置されているため、小型消防ポンプ５及び水タンク４のメンテナンスを行う際に、当該メンテナンスに必要なスペースを確保する必要があるからである。
【００３０】
また、小型消防ポンプ５は、走行時の安全性を考慮して水タンク４と近接した通常の位置で図示しない固縛部材によって強固に固縛するように構成されている。
【００３１】
なお、小型消防ポンプ５は、上述したスライド式に限らず、載置部材６１から脱着可能に設けても良い。
【００３２】
このように水タンク４及び小型消防ポンプ５を搭載した脱着フレーム６は、車体１１上に設けられた荷役装置１３により当該水タンク４及び小型消防ポンプ５とともに、車体１１上と地上との間で積降ろすことができる。
【００３３】
詳しくは、荷役装置１３は、前後方向に回動自在に設けられた荷役フレーム１４と、荷役フレーム１４と車体１１との間に連結された起伏シリンダ１５とで構成されている。
【００３４】
具体的には、荷役フレーム１４が、脱着フレーム６が車体１１上に配置された状態において水平に配置される水平部１４ａと、この水平部１４ａの前端部から立設された垂直部１４ｂとで図５に示すように略Ｌ字状に形成されている。そして、水平部１４ａの後端部が車体１１側に前後方向に回動自在に支持されるとともに、水平部１４ａの途中部に起伏シリンダ１５（図５参照）の伸縮ロッド端が連結されている。また、垂直部１４ｂの先端には、脱着フレーム６の係止部材６５と係脱自在なフック１４ｃが設けられている。
【００３５】
従って、起伏シリンダ１５の伸縮動作により荷役フレーム１４を前後に回動させることで、係止部材６５に係止した脱着フレーム６を、水タンク４及び小型消防ポンプ５とともに図５に示す状態を経て車体１１上と地上との間で積降ろすようにしている。
【００３６】
なお、消防ポンプ２は、車輌エンジン動力を利用してフルパワーで駆動させるようにしており、また、荷役装置１３は、車輌エンジンに付設したトランスミッション動力を利用して作動させるようにしている。
【００３７】
また、図１及び図５に示す符号１６は、車体１１の後部に設けられ、脱着フレーム６を円滑に積降ろすためのローラである。
【００３８】
さらに、車体１１上における脱着フレームの左右は、消火作業に必要な図示しない各種の付属品を設置する設置スペースになされている。
【００３９】
次に、このように構成された消火装置脱着式消防自動車による消火作業について説明する。
【００４０】
火災が発生した場合、消火装置脱着式消防自動車により火災現場にむかい、当該火災現場付近に車輌を停車して荷役装置１３により消火装置３を脱着フレーム６ととともに車体１１上から地上に降ろす。そして、地上において消火装置３の小型消防ポンプ５を作動させ、水タンク４から水を吸い込んで放水口５２に連結した放水ホースを通じて加圧水を放水することにより消火活動を行う。即ち、所謂初期消火を行う。
【００４１】
一方、消火装置３を降ろした車輌を、上述した初期消火を行っている間に水源に移動させ、車輌に搭載した消防ポンプ２から火災現場にかけて放水ホースを配置する。そして、消防ポンプ２の駆動により水源から吸上ホース２１を介して水を吸い上げ、放水ホースを通じて火災現場に供給して放水することで、初期消火に続いて本格的消火活動を行う。
【００４２】
また、必要であれば、車輌に折り畳み式などの簡易水槽を搭載しておき、火災現場で展開して設置することで、水源から供給される水をこの簡易水槽に貯留して消火活動に利用するようにしてもよい。
【００４３】
このように１台の車輌で初期消火と、この初期消火に続く本格的消火活動を連続して行うことができ、迅速で十分な消火活動を行うことができる。
【００４４】
また、消火装置３が脱着式であるため、車輌には消火装置３以外の装置を搭載することも可能であることから、消火活動以外の救助や風水害などの支援に必要な装置を車輌に搭載してこれらの活動を行うこともできる。
【００４５】
【発明の効果】
以上述べたように、本発明によれば、火災現場において迅速に初期消火に行い、この初期消火に続いて水源からの水を放水して本格的消火活動を行うことで、適切な消火活動を迅速に行うことができ被害を最小限に抑えることができる。
【００４６】
また、１台の消火装置脱着式消防自動車により初期消火とこの初期消火に続く本格的消火活動を行うことができ、汎用性に優れた画期的な車輌を提供することができる。
【図面の簡単な説明】
【図１】消火装置脱着式消防自動車の全体構成を示す側面図である。
【図２】水タンク及び小型消防ポンプを搭載した脱着フレームを示す側面図である。
【図３】水タンク及び小型消防ポンプを搭載した脱着フレームを示す平面図である。
【図４】小型消防ポンプの一例を示す正面図である。
【図５】水タンク及び小型消防ポンプを搭載した脱着フレームを地上と車輌との間で積降ろす際の動作を説明するための側面図である。
【符号の説明】
１  消火装置脱着式消防自動車
１１  車体
２  消防ポンプ
３  消火装置
４  水タンク
５  小型消防ポンプ
６  脱着フレーム
【図１】
0003842165.tif 000002
【図２】
0003842165.tif 000003
【図３】
0003842165.tif 000004
【図４】
0003842165.tif 000005
【図５】
0003842165.tif 000006